(57)【特許請求の範囲】
【請求項１】
遠心ポンプ用のインペラであって、
径方向内側ハブと、前記インペラの回転軸に対して垂直な方向に沿って一直線に延びる複数の直線状のブレードと、を含み、前記ブレードが、半径方向外側端部から半径方向内側端部へと延在するとともに、該ブレードの軸方向外側面に略円錐台形の外壁部分を画定し、前記ブレードの前記半径方向内側端部と、前記ハブと、の間に配置されるとともに前記ハブへと延在する流れ制御特徴部を備え、この流れ制御特徴部が湾曲した上面を有することを特徴とする遠心ポンプ用のインペラ。
【請求項２】
前記ブレードの前記略円錐台形の外壁部分が、前記特徴部へと合流する上面を有することを特徴とする請求項１に記載のインペラ。
【請求項３】
前記ブレードおよび前記特徴部の後縁に付加的な材料を有し、該後縁の付加的な材料は、前記特徴部の各々の厚さに対して追加されることを特徴とする請求項１に記載のインペラ。
【請求項４】
前記付加的な材料は、前記ハブから前記ブレードの前記半径方向内側端部を超えた位置まで径方向外側に延在することを特徴とする請求項３に記載のインペラ。
【請求項５】
前記付加的な材料はテーパ状の厚さを有し、径方向外側の部位に隣接する材料に比べて前記ハブに隣接する材料のほうが肉厚であることを特徴とする請求項３に記載のインペラ。
【請求項６】
前記特徴部が、概ね均一の厚さを有することを特徴とする請求項３に記載のインペラ。
【請求項７】
前記付加的な材料と、すぐ隣に隣接する前記特徴部の前縁と、の間に円周方向に離間された空間を有することを特徴とする請求項３に記載のインペラ。
【請求項８】
前記複数の特徴部の最上面が、前記インペラの前記回転軸に対して垂直な平面を画定することを特徴とする請求項１に記載のインペラ。
【請求項９】
インデューサが、前記インペラの上流に配置されることを特徴とする請求項１に記載のインペラ。
【請求項１０】
前記インデューサのブレードの外径は、前記特徴部の外径よりも小さいことを特徴とする請求項９に記載のインペラ。
【請求項１１】
前記湾曲した上面が、前記ブレードの円周方向厚さよりも大きい第１の曲率半径で形成された少なくとも第１の部分を有することを特徴とする請求項１に記載のインペラ。
【請求項１２】
前記湾曲した上面が、前記特徴部の側壁から前記第１の部分へと合流する第２の部分を含み、前記第２の部分は、前記第１の曲率半径よりも小さい第２の曲率半径を有することを特徴とする請求項１１に記載のインペラ。
【請求項１３】
遠心ポンプ用のインペラであって、
径方向内側ハブと、前記インペラの回転軸に対して垂直な方向に沿って一直線に延びる複数の直線状のブレードと、を含み、前記ブレードが、半径方向外側端部から半径方向内側端部へと延在するとともに、該ブレードの軸方向外側面に略円錐台形の外壁部分を画定し、
前記ブレードの前記半径方向内側端部と、前記ハブと、の間に配置されるとともに前記ハブへと延在する流れ制御特徴部を備え、この流れ制御特徴部が湾曲した上面を有し、それらの複数の特徴部の最上面が、前記インペラの回転軸に対して垂直な平面を画定し、
前記ブレードの前記略円錐台形の外壁部分が、前記特徴部へと合流する上面を有し、
前記ブレードおよび前記特徴部の後縁に付加的な材料を有し、該後縁の付加的な材料は、前記特徴部の各々の厚さに対して追加され、
前記付加的な材料と、すぐ隣に隣接する前記特徴部の前縁と、の間に円周方向に離間された空間を有し、
前記湾曲した上面が、前記ブレードの円周方向厚さよりも大きい第１の曲率半径で形成された少なくとも第１の部分を有するとともに、前記特徴部の側壁から前記第１の部分へと合流する第２の部分を含み、前記第２の部分は、前記第１の曲率半径よりも小さい第２の曲率半径を有することを特徴とする、遠心ポンプ用のインペラ。
【発明の詳細な説明】
【技術分野】
【０００１】
本発明は回転軸に対して垂直に走るブレードを有し、そのブレードからハブに延在する特徴部を有するインペラに関する。
【背景技術】
【０００２】
高速遠心ポンプは多数の構成を含む。一つの構成はインペラの外周部から径方向内側に延在するとともに、インペラの回転軸に対して垂直に延在する複数の直線状のブレードを有する。これらのポンプでは、ブレードは概ねハブもしくはインナーシュラウドから径方向に離間された位置で終端する。
【発明の概要】
【発明が解決しようとする課題】
【０００３】
ブレードの径方向内側端部とハブの外周部との間の位置にキャビテーションが生じうる。高速遠心ポンプにおけるキャビテーションは防ぐのが難しく、インレットケースの形状やハウジングを改良することにより対処されてきた。さらに、インペラの上流側にインデューサが設けられ、インペラブレードに向けてポンプの流体流れを導く役割を果たす。インデューサ設計はキャビテーションに対処するように変更されうる。さらに、ブレードの角部は場合によっては丸くされる。
【０００４】
上述した全ての試みがなされていながらも、直線状のインペラブレードと、所定の動作点でインペラに流入する流れとの間の相互作用により、キャビテーションが発生しうる。キャビテーションは望ましくなく、結果として気相の形成や、流れの崩壊を生じさせ、インペラに対して損傷を及ぼすおそれがある。
【課題を解決するための手段】
【０００５】
遠心ポンプ用のインペラが、径方向内側ハブと、インペラの回転軸に対して垂直な方向に沿って一直線に延びる複数のブレードと、を含む。ブレードは、半径方向外側端部から半径方向内側端部へと延在するとともに、概して円錐台形の外壁部分を画定する。ブレードの半径方向内側端部と、ハブとの間に流れ制御特徴部が形成される。この流れ制御特徴部は湾曲した上面を有する。
【図面の簡単な説明】
【０００６】
【図１】インペラの第１の実施例を示す図。
【図２】第１の実施例の特徴部の正面図。
【図３】図２の実施例の一部を通る断面図。
【図４】第２の実施例を示す図。
【図５】第２の実施例の詳細図。
【発明を実施するための形態】
【０００７】
図１はインデューサ２４へと導く流れ入口２２を有するポンプ２０を示す。インデューサは流体流れをポンプインペラ２６へと導く。出口２３がインペラ２６の下流に延在する。シャフト２８はインペラ２６を駆動して回転させる。
【０００８】
ブレード３６は径方向内側端部３１に向かって上向きに傾斜した径方向外側端部３３を有する。この断面からも明らかなように、ブレード３６の軸方向外側面は概ね円錐台形の外壁部分を画定する。対キャビテーション特徴部すなわち流れ制御特徴部３２が、ブレード３６の内側端部３１の径方向内側に形成され、内側ハブ３７まで延在する。理解されるように、インデューサ２４上のブレードの外径は概して特徴部３２の外径よりも小さい。
【０００９】
図２に示すように、ブレード外側面３０は概ね円錐形である。さらに、ブレードはインペラ２６およびシャフト２８の中心回転軸Ｘに対して直接垂直に延びる。特徴部３２はその径方向の最も外側の縁部１８から内側ハブ３７に符号１９で合流するように延びる。特徴部３２はブレード３６の厚さｔに比べて円周方向に厚い拡張部４０に付加的な材料を有する。したがって、特徴部３２の片側（後縁）に付加的な材料を有し、それによりインペラ２６全体に付加的な剛性を提供する。
【００１０】
特徴部３２の間に空間１７が形成される。
【００１１】
図２からも明らかなように、特徴部３２の径方向外側端部４４がブレード３６の径方向内側端部３１を超えて径方向に延在しうる。
【００１２】
図１，２の特徴部３２は、拡張部４０の径方向内側部に比べて拡張部４０の径方向外側部４４のほうが薄くなるように、径方向にテーパ状にされる。
【００１３】
図３は、湾曲部５１へと合流する側面すなわち前縁５０から曲率半径ｒが存在することを示す。特徴部３２の頂部に湾曲部５０／５１を形成することにより、流れを特徴部に沿って案内するように補助し、流れをインペラ表面から逸脱しにくくする。図に示すように、湾曲部５１は半径Ｒにおいてである。図３において図示された半径Ｒは図に示す断面よりも深い平面に及ぶ。理解されるように、半径Ｒはテーパ部によって異なる。一実施例では、半径Ｒ延いては所定のブレード厚さｔに対して有効な特徴部を最大化するために、半径ｒは半径Ｒに対して非常に小さい。実施例では、半径ｒのブレード厚さｔに対する比率は５未満である。さらに、ｔのＲに対する比率は概して１未満であろう。
【００１４】
図１から明らかなように、特徴部３２は概ねハブ３７へと一直線に延びる最上面を有し、これにより複数の特徴部３２の複数の最上面がインペラ２６の回転軸Ｘに対して垂直な平面を画定する。換言すれば、図示のように特徴部３２は接線方向に湾曲するが、その他の部位では、湾曲しておらず、代わりに半径方向の範囲に沿って概ね直線状に延在する。
【００１５】
特徴部３２は下流の流れからの逆流を防ぐ障壁として機能し、さらにキャビテーションを防ぐ役割を果たす。拡張部４０における付加的な材料のテーパリングは回転軸に最も近い位置で最大となり、回転軸の近傍で厚さがより大きくなる。
【００１６】
図４は、シャフト１２８によって駆動されるとともに入口１２２から流体を受けるインペラ１２６を有する別の実施例のポンプ１２０を示す。この実施例にもインデューサ１２４が用いられる。さらに、ブレード１３０は径方向内側端部に向かって上向きに傾斜しており、次いで特徴部１３２が始まる。理解されるように、特徴部１３２は内側ハブ１３６へと延在する。
【００１７】
図５はインペラ１２６を示す。理解されるように、この実施例では、付加的な材料１４０は半径方向のテーパ部を有しておらず、全長に亘って概ね同じ厚さである。他の点では、ブレード１３０は特徴部１３２へと合流し、特徴部１３２はハブ１３６へと合流する。
【００１８】
インペラを図１のインデューサとともに示すが、図５に示すようにインデューサなしでも利用されうる。任意の数のアウトレットハウジングが利用されうる。さらに、所謂「スプリッタ羽根」もこのインペラとともに利用することができる。
【００１９】
本発明の実施例について記載したが、特許請求の範囲内である程度の変更が行われうることが当業者にとって理解されるであろう。そのため、本発明の真の範囲および意義を画定するために以下の特許請求の範囲を検討すべきである。
【符号の説明】
【００２０】
１７…空間
１８…縁部
３０…ブレード外側面
３１…径方向内側端部
３２…流れ制御特徴部
３３…径方向外側端部
４０…拡張部
４４…特徴部の径方向外側端部
【図１】
0005373036.tif 000002
【図２】
0005373036.tif 000003
【図３】
0005373036.tif 000004
【図４】
0005373036.tif 000005
【図５】
0005373036.tif 000006